(57)【特許請求の範囲】
【請求項１】
演出出力が可能な玩具であって、
光の透過が可能な光透過部を少なくとも一部に含む本体部と、
操作部と、
前記本体部内に設けられ、前記光透過部に対して光を遮蔽可能な遮蔽部と、
前記遮蔽部と前記操作部とを支持可能な支持部であって、一方端部に前記遮蔽部が設けられ、他方端部に前記操作部が設けられている支持部と、
を備え、
前記遮蔽部は、前記操作部の操作に連動して当該操作部と一体で移動可能に構成され、且つ、前記光透過部に対する光の遮蔽位置を変更可能に構成され、
前記支持部は、前記本体部内に設けられたガイド溝に位置規制され、前記ガイド溝に沿って移動可能に設けられている、
玩具。
【請求項２】
請求項１に記載の玩具であって、
前記操作部は、前記支持部に対し回転可能に設けられている、
玩具。
【請求項３】
請求項１又は２に記載の玩具であって、
前記遮蔽部は、前記ガイド溝の延出方向に沿って設けられたガイド壁面に接しながら移動可能に設けられている、
玩具。
【請求項４】
請求項１〜３の何れか一項に記載の玩具であって、
前記遮蔽部は、前記支持部の軸線方向から見て半円形に形成され前記光透過部に対応する第１半円壁面と、前記支持部の軸線方向から見て半円形に形成され前記ガイド溝に対応する第２半円壁面と、を含む、
玩具。
【請求項５】
請求項１〜４の何れか一項に記載の玩具であって、
前記遮蔽部の移動範囲の終端には、前記遮蔽部若しくは前記支持部と接触可能な弾性部が設けられている、
玩具。
【請求項６】
請求項１〜５の何れか一項に記載の玩具であって、
前記支持部は軸部材にて構成され、
前記本体部内には、前記支持部を軸径方向から挟持する挟持部をさらに備え、
前記挟持部は、前記支持部の外面で軸線方向に沿って形成された軸溝に嵌合可能に設けられている、
玩具。
【請求項７】
請求項１〜６の何れか一項に記載の玩具であって、
前記遮蔽部は、前記操作部の最大移動可能距離と同じだけ移動可能に設けられている、
玩具。
【請求項８】
請求項１〜７の何れか一項に記載の玩具であって、
前記演出出力が可能な演出出力部をさらに備え、
前記演出出力部は、発光する光出力部を含む、
玩具。
【請求項９】
請求項８に記載の玩具であって、
前記光出力部は、前記光透過部の内側で、前記遮蔽部の移動範囲の空間に光を照射可能に設けられている、
玩具。
【請求項１０】
請求項９に記載の玩具であって、
前記光出力部は、前記遮蔽部の移動終端に設けられた弾性部に隣接して設けられている、
玩具。
【請求項１１】
請求項８〜１０の何れか一項に記載の玩具であって、
前記本体部は、回転可能な回転部を含み、
前記光出力部は、前記回転部の回転に応じて異なる色の光を出力する、
玩具。
【請求項１２】
請求項８〜１１の何れか一項に記載の玩具であって、
前記演出出力部は、音出力部を含み、
前記音出力部は、前記遮蔽部の移動に連動して音を出力する、
玩具。
【請求項１３】
請求項１〜１２の何れか一項に記載の玩具であって、
前記光透過部を通過する光に対し、光を拡散させる光拡散部材が設けられている、
玩具。
【発明の詳細な説明】
【技術分野】
【０００１】
本発明は、玩具に関する。
【背景技術】
【０００２】
従来、発光を利用した玩具としては、例えば特許文献１に記載されているものがある。
特許文献１に記載された玩具は、光透過性の筐体を有し、この筐体の内部に、光源とフィルタ状の色可変体が配置され、この色可変体が筐体自体の動きに連動することで、色や明るさを変化させる構成である。
【先行技術文献】
【特許文献】
【０００３】
【特許文献１】特開２００７−２９３１７号公報
【発明の概要】
【発明が解決しようとする課題】
【０００４】
しかしながら、特許文献１においては、発光する領域は予め決められた領域であるので、変化が少なく興趣性に乏しい。また、筐体自体を動かす慣性や重力等を利用して光源近くの色可変体が動く構造であるため、筐体を操作する操作感がなく興趣性が乏しいという問題があった。
【０００５】
本発明は、興趣性の高い玩具を提供することを目的とする。
【課題を解決するための手段】
【０００６】
本発明に係る玩具は、演出出力が可能な玩具であって、光の透過が可能な光透過部を少なくとも一部に含む本体部と、操作部と、前記本体部内に設けられ、前記光透過部に対して光を遮蔽可能な遮蔽部と、前記遮蔽部と前記操作部とを支持可能な支持部であって、一方端部に前記遮蔽部が設けられ、他方端部に前記操作部が設けられている支持部と、を備え、前記遮蔽部は、前記操作部の操作に連動して当該操作部と一体で移動可能に構成され、且つ、前記光透過部に対する光の遮蔽位置を変更可能に構成され、前記支持部は、前記本体部内に設けられたガイド溝に位置規制され、前記ガイド溝に沿って移動可能に設けられている。
【発明の効果】
【０００７】
本発明によれば、興趣性の高い玩具を提供することができる。
【図面の簡単な説明】
【０００８】
【図１】本発明の一実施形態の玩具の斜視図である。
【図２】図１に示す玩具の一部を分解した分解斜視図である。
【図３】図１に示す玩具を一部破断した正面図である。
【図４】図１に示す玩具において、光透過部の内部が見えるように一部を破断した斜視図である。
【図５】図１に示す玩具の演出形態の一例を示すための一部を破断した斜視図である。
【図６】図１に示す玩具における演出出力部の一例を示すブロック図である。
【発明を実施するための形態】
【０００９】
以下、本発明の一実施形態である玩具について、図１〜図６を参照して説明する。
図１は、本実施形態の玩具１の一例を示す斜視図である。
玩具１は、図１に示すように、略円筒形の胴部１０ｂを有する本体部１０と、使用者が本体部１０に対してその軸方向に操作可能な操作部２０と、操作部２０とは反対側に設けられた回転部２６と、を備えている。そして、玩具１は、本体部１０に対して操作部２０を移動させることができ、また、回転部２６を本体部１０に対して回転させるなどして、後述するような光等による演出が可能である。
【００１０】
略円筒形の胴部１０ｂは、その下部には、環状の下飾り部１０ｄを有し、上部には、一対の張出アーム状の上飾り部１０ａを有しており、両飾り部間には光透過部１５が設けられている。この光透過部１５は、後述する本体内部の光の透過が可能な構成である。光透過部１５は、透明或いは半透明であって、光が透過できるものであれば特に限定するものでなく、例えば、合成樹脂やガラスなどにより構成されている。また、光透過部１５は、胴部１０ｂの円周方向の略半分の領域を占める半円筒形状に構成されている。
【００１１】
図２は、玩具１の本体部１０を分解した分解斜視図である。
光透過部１５の内側には、図２に示すように、底面を構成するガイド壁面２１ｗ及びガイド溝２１ｇと、ガイド壁面２１ｗの一端側に立設された終端壁面２２ｅと、終端壁面２２ｅに対面する壁面として構成された遮蔽部３０と、が設けられている。終端壁面２２ｅには、例えばＬＥＤ等の発光素子からなる光出力部５２が設けられている。
【００１２】
このように、光透過部１５の内側には、底面、該底面に直立する２つの壁面によって半円筒の空間が形成されている。この空間は、光出力部５２から出される光によって明るく照らされることで、光の演出が可能な演出空間ＥＳである。すなわち、演出空間ＥＳの光が、光透過部１５から外部に出ることで、玩具１の光演出が可能になる。
【００１３】
ここで、遮蔽部３０は、その下端がガイド壁面２１ｗに接するように設けられ、外周輪郭が光透過部１５の内側に接するように対応した半円状に形成されている。したがって、遮蔽部３０を境にして、光出力部５２が有る側とは反対側は、光出力部５２による光が遮蔽される。
【００１４】
また、光透過部１５の内側には、後述する光拡散部材４０（図４参照）が設けられている。遮蔽部３０は、この光拡散部材４０の内面４０ｉｗに接するように設けられている。
【００１５】
遮蔽部３０は、支持部２５の一方端部２５ｅ（図３参照）に取付けられている。一方、支持部２５の他方端部２５ｔには、操作部２０が設けられている。使用者は、操作部２０を把持して支持部２５の軸方向に移動させる。これにより、遮蔽部３０は、終端壁面２２ｅに対して接近と離間が行われ、操作部２０の操作に連動して操作部２０と一体で移動する。この結果、遮蔽部３０は、演出空間ＥＳの遮蔽位置を変更することができる。なお、遮蔽部３０の移動範囲ＳＰは、操作部２０の最大移動可能距離Ｌ１と同じである。
【００１６】
支持部２５は、ガイド壁面２１ｗの中央で本体部１０の長手方向に沿ったガイド溝２１ｇによって位置規制されている。すなわち、支持部２５は、円柱形の軸部材にて構成され、その軸径の半分程度がガイド溝２１ｇに嵌まり込む状態でガイドされている。
【００１７】
図３は、玩具１を一部破断した正面図である。
図３に示すように、支持部２５は、本体部１０内に配置された挟持部２８により挟持されている。挟持部２８は、支持部２５の外面に接する一対のローラ部材を備え、この２つのローラ部材が支持部２５を挟むように支持している。また、支持部２５の外面には、支持部２５の軸線方向に沿った軸溝２５ｇが２つ形成されている。そして、挟持部２８は、ローラ部材が軸溝２５ｇに嵌まり込むように設けられている。
【００１８】
挟持部２８は、一方側（図中左側）のものは、ばね部材２８ｓによって支持部２５側に押し付けるように付勢されている。一方、他方側（図中右側）のものは、所定の位置に固定して配置されている。
【００１９】
操作部２０は、支持部２５の他方端部２５ｔに回転可能に設けられている。また、その形状は、例えば、穴の開いた円形や鍔状の部分を有する、所謂、指手にて持ちやすい適宜形状に構成されている。
【００２０】
図３に示すように、前掲の終端壁面２２ｅには、光出力部５２に隣接して、弾性部２３が設けられている。この弾性部２３は、例えば、その中央部分が遮蔽部３０側に向って若干膨らむような形状を備えている。
【００２１】
図４は、光透過部１５の内部が見えるように一部を破断した斜視図である。
遮蔽部３０は、弾性部２３に対面する側に、図４に示すように、支持部２５の先端位置に、弾性部２３に向って突出する先端凸部３１ｔが設けられている。したがって、遮蔽部３０は、弾性部２３に直接接触することがなく、また、終端壁面２２ｅにも必要以上に強く接触することがない。
【００２２】
遮蔽部３０は、図４に示すように、遮蔽部３０の移動方向（支持部２５の軸線方向）から見て、半円形の第１半円壁面３１と、この第１半円壁面３１よりも小さい半円形を成した第２半円壁面３２とを備えている。したがって、第１半円壁面３１の外周縁３１ｅは、光拡散部材４０の内面４０ｉｗに接する。また、第２半円壁面３２は、その外周縁３２ｅがガイド溝２１ｇに接するように構成されている。
【００２３】
以下、玩具１による演出について、図５及び図６を参照して説明する。
図５は、玩具の演出形態の一例を示すための一部を破断した斜視図である。図６は、玩具１における演出出力部５０の一例を示すブロック図である。
【００２４】
先ず、光による光演出について説明する。
図５に示すように、光演出を行う場合、光出力部５２が発光している状態で、操作部２０を押し込みように操作する。この押込み操作で、遮蔽部３０は、移動範囲ＳＰの途中に位置する。この結果、演出空間ＥＳは、第１演出空間ＥＳ１と第２演出空間ＥＳ２とに分けられる。すなわち、第１演出空間ＥＳ１は明るく光る一方、第２演出空間ＥＳ２は暗くなっている。これにより、光透過部１５は、遮蔽部３０の位置によって明るい箇所と暗い箇所に分けた演出が、操作部２０の移動に連動して行われる。
【００２５】
本体部１０内には、演出出力部５０が設けられている。この演出出力部５０は、図６に示すように、演算部５１を備え、この演算部５１が第１検出部Ｓ１及び第２検出部Ｓ２からの信号により、光出力部５２及び音出力部５３を作動させる。例えば、回転部２６を回転させた場合、回転部２６に設けられた図柄やキャラクター２６ａ，２６ｂ，２６ｃに対応させて、光出力部５２による出力光の色を変えて出力することができる。
【００２６】
次に、音による音演出について説明する。
本体部１０内に設けられた、例えば、スピーカー等の音出力部５３からは、予め設定された所定の音を発することができる。この場合、音出力部５３からの出力は、遮蔽部３０の移動に連動して音を出力することができる。音出力部５３に出力するための構成としては、前掲の挟持部２８のローラ部分の動きを検出して行うことができる。検出構造としては、例えば、ばね部材２８ｓにて支持部２５を押すように設けられているローラ部分が軸溝２５ｇに対して出入りする動きを第１検出部Ｓ１にて検出する。これにより、操作部２０の操作に連動する音演出を行うことができる。
【００２７】
以上述べたように、本実施形態の玩具１によれば、光を遮蔽する遮蔽部３０が操作部２０に連動して動くことができることから、光透過部１５の光の透過位置を、操作部２０に連動して変えることができる。この結果、操作部２０の動作と光変化が連動して一体化感を出すことができ、興趣性の高い玩具１を提供できる。
【００２８】
また、本実施形態の玩具１では、遮蔽部３０が支持部２５の一方端部に、操作部２０が支持部２５の他方端部に設けられているので、遮蔽部３０と操作部２０とを支持部２５によって一体化でき、遮蔽部３０の動きは、操作部２０の動作と同期し、移動量、移動方向をも同じにできる。
【００２９】
また、本実施形態の玩具１では、操作部２０が支持部２５に対し回転可能に設けられているので、指手にて持つ向きが特定されず使い勝手が良い。
【００３０】
また、本実施形態の玩具１では、支持部２５は、本体部１０内のガイド溝２１ｇに位置規制されて移動可能に設けられているので、支持部２５の移動動作がガイド溝２１ｇにより安定する。
【００３１】
また、本実施形態の玩具１では、遮蔽部３０は、ガイド溝２１ｇの延出方向に沿って設けられたガイド壁面２１ｗに接しながら移動することで、遮蔽部３０はガイド壁面２１ｗによって保持され、移動が円滑に行われ、操作部２０の操作がし易い。
【００３２】
また、本実施形態の玩具１では、遮蔽部３０は、その第１半円壁面３１と第２半円壁面３２が遮蔽部３０を囲む壁面とすき間無く接触しているので、遮蔽部３０の移動空間である演出空間ＥＳの光を、遮蔽部３０の裏側に漏らすことなく確実に遮蔽できる。
【００３３】
また、本実施形態の玩具１では、遮蔽部３０の移動範囲の終端壁面２２ｅには、弾性部２３が設けられているので、遮蔽部３０が押し込まれたときに、遮蔽部３０を弾性部２３の弾性力で受止めることができ、操作時の移動終端の部材間の当接の緩衝ができる。また、操作部２０の押込操作において、弾性部２３の弾力によって操作感を良くすることができる。
【００３４】
また、本実施形態の玩具１では、弾性部２３は、支持部２５の先端側に対応して設けられているので、支持部２５の押込み力を効果的に受止めることができる。
【００３５】
また、本実施形態の玩具１では、支持部２５の外面の軸溝２５ｇに嵌合する挟持部２８にて支持部２５がガイドされるので、支持部２５は、その直線移動が円滑に行われ、操作部２０の操作が滑らになり操作性が良い。
【００３６】
また、本実施形態の玩具１では、遮蔽部３０は、操作部２０の最大移動可能距離Ｌ１と同じだけ移動するので、操作部２０の移動と全く同じ動きとなる。この結果、遮蔽部３０の移動と操作部２０との一体感のある演出を行うことができる。
【００３７】
また、本実施形態の玩具１では、演出出力部５０は、発光する光出力部５２を制御できるので、光透過部１５及び遮蔽部３０と関連させる光りの演出を行うことができる。
【００３８】
また、本実施形態の玩具１では、光出力部５２は、光透過部１５の内側で、遮蔽部３０の移動範囲の移動空間に光を照射可能に設けられているので、遮蔽部３０の移動で光演出の大きさ（範囲）を変えることができる。
【００３９】
また、本実施形態の玩具１では、光出力部５２は、終端壁面２２ｅに設けられた弾性部２３に隣接して設けられるので、光の演出を遮蔽部３０の移動の最後まで行うことができる。また、弾性部２３により遮蔽部３０が光出力部５２に当るのを防止し保護することができる。
【００４０】
また、本実施形態の玩具１では、光出力部５２は、本体部１０に設けられた回転部２６の回転に応じて異なる色の光を出力することができるので、演出力を高めることができる。
【００４１】
また、本実施形態の玩具１では、演出出力部５０は、音出力部５３により、遮蔽部３０の移動に連動して音を出力することができるので、操作部２０の操作と連動した音により光演出と連動する演出ができ、興趣性をより高めることができる。
【００４２】
また、本実施形態の玩具１では、光透過部１５を通過する光に対し、光を拡散させる光拡散部材４０が設けられるので、光演出のときに、光源の光を適宜拡散させることができ、演出効果を高めることができる。また、光拡散部材４０が光透過部１５に対応して設けられているので、光透過部１５の内側の構造を隠すことができる。
【００４３】
以上、本発明の一実施形態について説明したが、本発明はその技術思想の範囲で適宜変更することができる。例えば、上記実施形態においては、光出力部５２を終端壁面２２ｅに設けた構成としたが、この構成に限らず、光出力部５２を演出空間ＥＳの何れかに設ける構成、更には、遮蔽部３０に光出力部５２を設ける構成であっても良い。
【００４４】
また、上記実施形態における支持部２５は、直線状の軸部材として構成したが、この直線状の形状に限るものではない。例えば、本体部１０に設けられる光透過部１５の形状が円弧形状の場合、遮蔽部３０と操作部２０を繋ぐ支持部２５を円弧状に構成し、操作部２０を円弧移動させるような操作を行う構成であっても良い。
【００４５】
また、上記実施形態においては、遮蔽部３０に、弾性部２３に当接する先端凸部３１ｔを設けた構成としたが、先端凸部３１ｔがない構成であっても良い。また、弾性部２３と接触するする部分は、支持部２５の先端が当接する構成であっても良い。
【００４６】
また、上記実施形態においては、弾性部２３が終端壁面２２ｅに設けられたが、終端壁面２２ｅとは遮蔽部３０を挟んで反対側（支持部２５の引き抜き側）の終端位置にも弾性部２３を配置するようにしてもよい。また、弾性部２３は、遮蔽部３０の表裏に設けるようにしても良い。
【００４７】
また、上記実施形態においては、光透過部１５の内側に光拡散部材４０を設ける構成としたが、光拡散部材４０を配置せずに光透過部１５に光拡散機能を備えるようにしても良い。
【符号の説明】
【００４８】
１        玩具
１０      本体部
１５      光透過部
２０      操作部
２１ｇ    ガイド溝
２１ｗ    ガイド壁面
２２ｅ    終端壁面（移動終端）
２３      弾性部
２５      支持部
２５ｇ    軸溝
２６      回転部
２８      挟持部
３０      遮蔽部
３１      第１半円壁面
３２      第２半円壁面
４０      光拡散部材
５０      演出出力部
５２      光出力部
５３      音出力部
【要約】
【課題】興趣性の高い玩具を提供する。
【解決手段】演出出力が可能な玩具１であって、光の透過が可能な光透過部１５を少なくとも一部に含む本体部１０と、操作部２０と、本体部１０内に設けられ、光透過部１５に対して光を遮蔽可能な遮蔽部３０と、を備え、遮蔽部３０は、操作部２０の操作に連動して当該操作部と一体で移動可能に構成され、且つ、光透過部１５に対する光の遮蔽位置を変更可能に構成されている。
【選択図】図１【図１】
0006834043.tif 000002
【図２】
0006834043.tif 000003
【図３】
0006834043.tif 000004
【図４】
0006834043.tif 000005
【図５】
0006834043.tif 000006
【図６】
0006834043.tif 000007